(57)【要約】【課題】固定子を製造する場合に、鋼板を効率よく使用することができ、簡単な設備で製造することができるアキシャルギャップモータを提供する。【解決手段】テープ状の電磁鋼板１２を渦巻き状に巻回した小固定子鉄心１４と、小固定子鉄心１４に固定子巻線１８が巻回された小固定子２０と、複数の小固定子２０を一体にモールド成形して製造された固定子２２とを有する。【選択図】      図４
2007104795.tif 000002
【特許請求の範囲】
【請求項１】
テープ状の鋼板を渦巻き状に巻回して形成された小固定子鉄心と、
前記小固定子鉄心に固定子巻線が巻回された小固定子と、
前記複数の小固定子を等間隔に配置してモールド樹脂によって一体にモールド成型した固定子と、
を有する
ことを特徴とするアキシャルギャップモータ。
【請求項２】
前記小固定子鉄心が絶縁性のインシュレータに収納され、前記インシュレータに前記固定子巻線が巻回されている
ことを特徴とする請求項１記載のアキシャルギャップモータ。
【請求項３】
前記小固定子鉄心の表面が絶縁性のある塗装剤によって塗装され、前記塗装された小固定子鉄心に前記固定子巻線が巻回されている
ことを特徴とする請求項１記載のアキシャルギャップモータ。
【請求項４】
前記固定子の中心に回転自在に配された回転軸と、
前記回転軸に固定された円盤型のヨークと、
前記ヨークにおける前記固定子と相対向する面に設けられたマグネットと、
を有する
ことを特徴とする請求項１記載のアキシャルギャップモータ。
【請求項５】
前記アキシャルギャップモータが、ブラシレスＤＣモータである
ことを特徴とする請求項１記載のアキシャルギャップモータ。
【請求項６】
テープ状の鋼板を渦巻き状に巻回して小固定子鉄心を製造する第１工程と、
前記小固定子鉄心に絶縁部を介して固定子巻線を巻回して小固定子を複数製造する第２工程と、
前記複数の小固定子を等間隔に配置してモールド樹脂によって一体にモールド成型して固定子を製造する第３工程と、
を有する
ことを特徴とするアキシャルギャップモータの製造方法。
【請求項７】
前記第１工程において、
前記テープ状の鋼板を渦巻き状に巻回してロール体を製造し、前記ロール体を扇状に成型して小固定子鉄心を製造する
ことを特徴とする請求項６記載のアキシャルギャップモータの製造方法。
【発明の詳細な説明】
【技術分野】
【０００１】
本発明は、アキシャルギャップモータに関するものである。
【背景技術】
【０００２】
従来よりアキシャル方向に固定子と回転子のギャップを有するアキシャルギャップモータが提案されている（例えば、特許文献１参照）。
【０００３】
このようなアキシャルギャップモータにおいては、固定子鉄心を電磁鋼板を積層して形成し、この固定子鉄心に固定子巻線を巻回している。
【特許文献１】特開２０００−２５３６３５公報
【発明の開示】
【発明が解決しようとする課題】
【０００４】
上記した従来のアキシャルギャップモータにおいては、電磁鋼板を積層して固定子鉄心を製造しているため、この電磁鋼板をプレスするプレス機器と、金型が必要で高価な設備投資が必要となり、また、電磁鋼板を打ち抜いて製造するため、不要な部分は廃棄されて有効に電磁鋼板を活用できないという問題点がある。
【０００５】
そこで、本発明は、アキシャルギャップモータの固定子を製造する場合に、鋼板を効率よく使用することができ、簡単な設備で製造することができるアキシャルギャップモータを提供する。
【課題を解決するための手段】
【０００６】
請求項１に係る発明は、テープ状の鋼板を渦巻き状に巻回して形成された小固定子鉄心と、前記小固定子鉄心に固定子巻線が巻回された小固定子と、前記複数の小固定子を等間隔に配置してモールド樹脂によって一体にモールド成型した固定子と、を有することを特徴とするアキシャルギャップモータである。
【０００７】
請求項２に係る発明は、前記小固定子鉄心が絶縁性のインシュレータに収納され、前記インシュレータに前記固定子巻線が巻回されていることを特徴とする請求項１記載のアキシャルギャップモータである。
【０００８】
請求項３に係る発明は、前記小固定子鉄心の表面が絶縁性のある塗装剤によって塗装され、前記塗装された小固定子鉄心に前記固定子巻線が巻回されていることを特徴とする請求項１記載のアキシャルギャップモータである。
【０００９】
請求項４に係る発明は、前記固定子の中心に回転自在に配された回転軸と、前記回転軸に固定された円盤型のヨークと、前記ヨークにおける前記固定子と相対向する面に設けられたマグネットと、を有することを特徴とする請求項１記載のアキシャルギャップモータである。
【００１０】
請求項５に係る発明は、前記アキシャルギャップモータが、ブラシレスＤＣモータであることを特徴とする請求項１記載のアキシャルギャップモータである。
【００１１】
請求項６に係る発明は、テープ状の鋼板を渦巻き状に巻回して小固定子鉄心を製造する第１工程と、前記小固定子鉄心に絶縁部を介して固定子巻線を巻回して小固定子を複数製造する第２工程と、前記複数の小固定子を等間隔に配置してモールド樹脂によって一体にモールド成型して固定子を製造する第３工程と、を有することを特徴とするアキシャルギャップモータの製造方法である。
【００１２】
請求項７に係る発明は、前記第１工程において、前記テープ状の鋼板を渦巻き状に巻回してロール体を製造し、前記ロール体を扇状に成型して小固定子鉄心を製造することを特徴とする請求項６記載のアキシャルギャップモータの製造方法である。
【発明の効果】
【００１３】
本発明のアキシャルギャップモータであると、小固定子鉄心を製造する場合に、テープ状の鋼板を渦巻き状に巻回して形成するだけであるため、従来のようにプレス機器や金型が不要であり、また、打ち抜きによる不要な部分も発生しない。
【発明を実施するための最良の形態】
【００１４】
以下、本発明の一実施形態のアキシャルギャップモータ（以下、単にモータという）１０について、図１〜図５に基づいて説明する。
【００１５】
このモータ１０の構造について、その製造方法に基づいて説明する。
【００１６】
（１）第１工程
第１工程においては、図１に示すようにテープ状の電磁鋼板１２を渦巻き状に巻回して小固定子鉄心１４を形成する。この場合に、テープ状の電磁鋼板１２を巻回するだけであるため、従来のように打ち抜きによる不要な部分が発生しない。
【００１７】
（２）第２工程
第２工程においては、図３に示すように、電磁鋼板１２をロール状に巻回した小固定子鉄心１４を扇型に成形しつつ、合成樹脂製のインシュレータ１６に挿入する。インシュレータ１６に小固定子鉄心１４を挿入する場合には、小固定子鉄心１４の巻回状態をきつく巻き、インシュレータ１６の内周側に挿入して、小固定子鉄心１４が外側に広がるようにしてインシュレータ１６内部に小固定子鉄心１４を固定させる。
【００１８】
（３）第３工程
第３工程においては、インシュレータ１６に、銅線よりなる固定子巻線１８を巻回する。これによって小固定子２０が完成する。
【００１９】
（４）第４工程
第４工程においては、上記のようにして小固定子を６個製造し、この６個の小固定子２０を図４（ｂ）に示すように、４５°毎に６個等間隔に金型内部に配置し、モールド樹脂によって一体にモールド成形して固定子２２を製造する。この場合に、固定子２２の中心部に回転軸２４が貫通可能なように貫通孔２６を設けておく。
【００２０】
（５）第５工程
第５工程においては、固定子２２に回転子２８を取り付ける。回転子２８は、回転軸３０と、円板状の第１ヨーク３２と円板状の第２ヨークとより形成されている。先ず、回転軸３０を一対のボールベアリング３６，３８を介して、固定子２２の貫通孔に取り付ける。そして、この回転軸３０の一方の側に第１ヨーク３２を取り付ける。この場合に、第１ヨーク３２の内側、即ち、固定子２２と相対向する面には、ドーナツ状のマグネット４０が設けられている。このマグネット４０は、Ｓ極とＮ極とが交互に２個ずつ９０°毎に配されている。
【００２１】
回転軸３０の他方側にも、同様に第２ヨーク３４を取り付ける。第２ヨーク３４の内側にも、ドーナツ状のマグネット４２が取り付けられている。
【００２２】
以上により、モータ１０の製造が終了する。
【００２３】
（６）モータ１０の効果
上記製造方法により製造されたモータ１０であると、小固定子鉄心１４を製造する場合にテープ状の電磁鋼板１２をロール状に巻回するだけであるため、従来のようなプレス機器、金型が不要で高価な設備投資が不要であり、また不要な打抜き部分が発生せず電磁鋼板１２を有効に活用することができる。
【００２４】
また、テープ状の電磁鋼板１２を渦巻き状に巻回するため、電磁鋼板１２の両端部が短絡することがない。そのため、鉄損（渦電流損）が小さいという効果もある。
【００２５】
（７）変更例
本発明は上記各実施形態に限らず、その主旨を逸脱しない限り種々に変更することができる。
【００２６】
上記実施形態では、第１ヨーク３２及び第２ヨーク３４共にマグネット４０，４２を設けたが、一方のヨークは、ドーナツ状の鉄板に代えても、同様にモータ１０が回転する。
【００２７】
また、小固定子鉄心１４をインシュレータ１６に挿入したが、これに代えて小固定子鉄心１４の表面に絶縁性の塗装材をパウダー塗装により塗装することにより絶縁部を形成することもできる。
【産業上の利用可能性】
【００２８】
本発明のアキシャルギャップモータであると、薄型に形成できるため、ハードディスク装置の駆動源、エアコンなどの家庭機器の駆動源に用いることができ、また、自動車の窓を上下するパワーウインドウの駆動源としても好適である。
【図面の簡単な説明】
【００２９】
【図１】本発明の一実施形態を示すモータにおける小固定子鉄心の斜視図である。
【図２】小固定子の縦断面図である。
【図３】小固定子の平面図である。
【図４】（ａ）は、固定子の縦断面図であり、（ｂ）は固定子の平面図である。
【図５】（ａ）は、モータの縦断面図であり、（ｂ）はモータの平面図である。
【符号の説明】
【００３０】
１０  モータ
１２  電磁鋼板
１４  小固定子鉄心
１６  インシュレータ
１８  固定子巻線
２０  小固定子
２２  固定子
２４  回転軸
２６  貫通孔
２８  回転子
３０  回転軸
３２  第１ヨーク
３４  第２ヨーク
４０  マグネット
４２  マグネット
【図１】
2007104795.tif 000003
【図２】
2007104795.tif 000004
【図３】
2007104795.tif 000005
【図４】
2007104795.tif 000006
【図５】
2007104795.tif 000007